(57)【要約】【課題】ヒトが存在する生活空間の中の除菌を念頭に雑貨としての空間除菌剤と同様な比較的温和、かつ、低放散速度を維持しつつ、対象とする設置場所の除菌を目的とする二酸化塩素発生樹脂包装体を提供する。【解決手段】上面が開放された窪状空間部に設置される二酸化塩素発生体であって、二酸化塩素発生体は、二酸化塩素発生剤と、酸剤と、水とを、フィルム袋状物または樹脂容器の樹脂容体部の内部に収容後に封入してなり、台所の排水口または浴室の排水口に設置され、二酸化塩素ガスの放散速度を２ｍｇ／ｈ以下とする。【選択図】図１
2020193136.tif 000002
【特許請求の範囲】
【請求項１】
上面が開放された窪状空間部に設置される二酸化塩素発生体であって、
前記二酸化塩素発生体は、二酸化塩素発生剤と、酸剤と、水とを樹脂容体部の内部に収容後に封入してなる
ことを特徴とする二酸化塩素発生樹脂包装体。
【請求項２】
前記樹脂容体部がフィルム部をヒートシールにより封止してなるフィルム袋状物である請求項１に記載の二酸化塩素発生樹脂包装体。
【請求項３】
前記樹脂容体部が樹脂容器である請求項１に記載の二酸化塩素発生樹脂包装体。
【請求項４】
前記樹脂容体部の内部に増量剤が封入されている請求項１ないし３のいずれか１項に記載の二酸化塩素発生樹脂包装体。
【請求項５】
前記樹脂容体部の内部にゲル化剤が封入されている請求項１ないし４のいずれか１項に記載の二酸化塩素発生樹脂包装体。
【請求項６】
前記窪状空間部が、台所の排水口、または、浴室の排水口である請求項１ないし５のいずれか１項に記載の二酸化塩素発生樹脂包装体。
【請求項７】
請求項１ないし６のいずれか１項に記載の二酸化塩素発生樹脂包装体を、上面が開放された窪状空間部に設置して、前記窪状空間部内における前記二酸化塩素発生樹脂包装体からの二酸化塩素ガスの放散速度を２ｍｇ／ｈ以下とすることを特徴とする二酸化塩素発生方法。
【請求項８】
前記窪状空間部の除菌または消臭が目的である請求項７に記載の二酸化塩素発生方法。
【発明の詳細な説明】
【技術分野】
【０００１】
本発明は二酸化塩素発生樹脂包装体に関し、特に常時水分に曝露される環境下に設置される二酸化塩素発生樹脂包装体に関する。
【背景技術】
【０００２】
一般家屋の室内等の生活空間において使用される二酸化塩素ガス発生剤は、液体、ゲル状物、顆粒状物である。当該二酸化塩素ガス発生剤の使用者が使用直前に薬剤同士を混合する等の操作を必要とするもの、開封操作のみ必要とし混合操作が必要でないものがある。これらは硬質容器、軟質容器に包装され使用に供される（特許文献１，２等参照）。使用者がこの二酸化塩素発生剤を、室内等の生活空間に静置したり、あるいは身体に装着したりすることにより、空間の除菌、空間のウイルス除去、空間の消臭効果を得られる旨が表示され、二酸化塩素発生剤は販売されている。以降、これらを雑貨としての空間除菌剤と表記する。しかし、雑貨としての空間除菌剤の使用による二酸化塩素ガスの使用者への安全性と、効果については十分検証されていない（非特許文献１，２等参照）。
【０００３】
他方、実用化されている二酸化塩素ガスの利用例として、安全キャビネットの滅菌、バイオロジカルクリーンルームの除染などがあり、効果については十分検証されている（特許文献３等参照）。以降、この様な利用方法をガス滅菌剤利用と表記する。
【０００４】
雑貨としての空間除菌剤（前者）とガス滅菌剤利用（後者）の違いは、次の３点である。第一、除菌する対象部位について、前者は主に空間を標的としており、後者は主に硬質表面を標的としている。第二、目標とするガス濃度の相違である。前者は米国の労働安全上の基準である０．１ｐｐｍ以下が推奨され、後者では数十ｐｐｍから数百ｐｐｍまで利用目的と時間的制限から最適な濃度時間積に設定される。第三、前者は使用者を含むヒトがその空間に存在することを前提とし、後者はヒトが存在しない密閉空間で実施することを前提とする。
【０００５】
ヒトが存在しない密閉空間では効果の測定が可能である。しかしながら、ヒトが存在する空間では通常、雰囲気空気の動きがあり、開放されていたり、換気されていたり、ヒトの出入り等がある等により一定の条件とはならない。従って、雑貨としての空間除菌剤はある一定の条件下での効果を証明できても、多くの実使用場面での効果を担保することは不可能である。
【先行技術文献】
【特許文献】
【０００６】
【特許文献１】特開平１１−２７８８０８号公報
【特許文献２】特開平１−９９５５９号公報
【特許文献３】特許第５６３９２９４号公報
【非特許文献】
【０００７】
【非特許文献１】西村秀一、ウイルス不活化を標榜する二酸化塩素ガス放散製剤の実用性の有無の検証-冬季室内相当の温湿度での空中浮遊インフルエンザウイルスの不活化について、環境感染誌、２０１６、Ｖｏｌ．３１、ｎｏ．５
【非特許文献２】西村秀一、二酸化塩素ガス放散製剤のインフルエンザウイルス不活化および黄色ブドウ球菌殺菌能の検証−低湿度環境表面での検討、環境感染誌、２０１７、Ｖｏｌ．３２、ｎｏ．３
【発明の概要】
【発明が解決しようとする課題】
【０００８】
発明者らは、ヒトが存在する生活空間の中の比較的小さい半密閉空間、窪んだ形状の比較的小空間、あるいは除菌したい目標物近傍で使用することにより、当該場所、使用空間における二酸化塩素濃度の急上昇を抑え、しかも効果のある範囲を持続しつつ、除菌目的を達することを見出した。
【０００９】
本発明は前記の点に鑑みなされたものであり、ヒトが存在する生活空間の中の除菌を念頭に既存の空間除菌剤と同様な比較的温和、かつ、低放散速度を維持しつつ、対象とする設置場所の除菌を目的とする二酸化塩素発生樹脂包装体を提供する。
【課題を解決するための手段】
【００１０】
すなわち、第１の形態の二酸化塩素発生樹脂包装体は、上面が開放された窪状空間部に設置される二酸化塩素発生体であって、二酸化塩素発生体は、二酸化塩素発生剤と、酸剤と、水とを樹脂容体部の内部に収容後に封入してなることを特徴とする二酸化塩素発生樹脂包装体。
【００１１】
第２の形態の二酸化塩素発生樹脂包装体は、樹脂容体部がフィルム部をヒートシールにより封止してなるフィルム袋状物であることを特徴とする。
【００１２】
第３の形態の二酸化塩素発生樹脂包装体は、樹脂容体部が樹脂容器であることを特徴とする。
【００１３】
第４の形態の二酸化塩素発生樹脂包装体は、樹脂容体部の内部に増量剤が封入されていることを特徴とする。
【００１４】
第５の形態の二酸化塩素発生樹脂包装体は、樹脂容体部の内部にゲル化剤が封入されていることを特徴とする。
【００１５】
第６の形態の二酸化塩素発生樹脂包装体は、窪状空間部が、台所の排水口、または、浴室の排水口であることを特徴とする。
【００１６】
また、第１の形態の二酸化塩素発生方法は、第１ないし第６の形態の二酸化塩素発生樹脂包装体を、上面が開放された窪状空間部に設置して、窪状空間部内における二酸化塩素発生樹脂包装体からの二酸化塩素ガスの放散速度を２ｍｇ／ｈ以下とすることを特徴とする。
【００１７】
第２の形態の二酸化塩素発生方法は、窪状空間部の除菌または消臭が目的であることを特徴とする。
【発明の効果】
【００１８】
本発明の二酸化塩素発生樹脂包装体によると、上面が開放された窪状空間部に設置される二酸化塩素発生体であって、二酸化塩素発生体は、二酸化塩素発生剤と、酸剤と、水とを樹脂容体部の内部に収容後に封入してなるため、ヒトが存在する生活空間の中の除菌を念頭に比較的温和、かつ、低放散速度を維持しつつ、対象とする設置場所の除菌を目的とすることができる。
【図面の簡単な説明】
【００１９】
【図１】実施形態の二酸化塩素発生樹脂包装体の全体概要図である。
【図２】模擬再現と二酸化塩素濃度を示すグラフである。
【図３】使用日数と二酸化塩素濃度との関係を示す第１グラフである。
【図４】使用日数と二酸化塩素濃度との関係を示す第２グラフである。
【発明を実施するための形態】
【００２０】
図１の全体概要図を用い、実施形態の二酸化塩素発生樹脂包装体１の構成から説明する。図示実施形態の二酸化塩素発生樹脂包装体１は、二酸化塩素を発生させるための薬剤を収容し完全に密封されたフィルム袋状物１０からなる。そして、当該フィルム袋状物１０内における化学反応の結果生じた二酸化塩素ガス（ＣｌＯ２）は同フィルム袋状物１０のフィルムＦをガス透過してフィルム袋状物１０の外部に拡散する。そこで、フィルム袋状物１０が設置された周囲は、拡散した二酸化塩素ガスに曝露され、周囲のカビ、細菌類は影響を受けることとなる。
【００２１】
二酸化塩素発生樹脂包装体１は、上面が開放された窪状空間部に設置されることを目的としている。二酸化塩素は空気よりも重い気体である。そこで、窪状空間部に二酸化塩素発生樹脂包装体１が設置されることにより、同窪状空間部の内側では、二酸化塩素の濃度は外部よりも高められ、長時間濃度が維持されやすい。これにより、窪状空間部の内側（内部）、及び極近傍に二酸化塩素が作用して除菌効果は高められる。
【００２２】
さらには、窪状空間部は水分過剰環境下の部位であることが望ましい。水分過剰環境下とは、ほぼ常時水に晒されている環境下である。具体的には、台所の排水口（ゴミを受けるカゴ内、カゴの下の椀トラップの上、椀トラップの横の水中）、浴室の排水口（ヘアキャッチャー近傍の壁、ヘアキャッチャー上或は中、ヘアキャッチャーの下のトラップ水中）等の窪状空間部への設置が想定される。
【００２３】
台所の排水口の場合、各種の食材の調理時の排水、食器洗浄の排水等が排水口を通過する。排水は非常に有機物過多であり、カビ、細菌類が排水口周囲に増殖しやすく、悪臭、ぬめりの原因となる。浴室の排水口の場合、浴槽内の水、身体の洗浄後の排水、石けん、洗剤等は排水口を通過する。そこで、浴室の排水口の周囲も有機物過多となり、カビ、細菌類が増殖しやすく、悪臭、ぬめりの原因となる。つまり、二酸化塩素発生樹脂包装体１の目的は、窪状空間部の除菌または消臭である。
【００２４】
そこで、台所の排水口、浴室の排水口等の水分過剰環境下の窪状空間部に、直に二酸化塩素発生樹脂包装体１は設置される。そして、当該二酸化塩素発生包装体１から放散される二酸化塩素ガスは排水口等の水分過剰環境下の窪状空間部に持続的に維持され、カビ、細菌類の増殖は抑制される。なお、発明者の測定によると、窪状空間部の近傍（２０ｃｍの距離を離した場所）では、二酸化塩素ガスは検出限界（０．０１ｐｐｍ）以下となる。よって、二酸化塩素発生樹脂包装体１は窪状空間部の外側への影響が少ない。
【００２５】
フィルム袋状物１０を形成するフィルムＦは、前述のとおり、フィルム袋状物１０の内部において発生した二酸化塩素ガスを透過させる材質であり、しかも。フィルム袋状物１０の封入物の漏洩を防ぎ、フィルム袋状物１０の外部の水の浸入を抑制する材質である。具体的には、ポリエチレン、ポリプロピレン、ポリスチレン、塩化ビニル樹脂、ポリアミド（いわゆるナイロン樹脂）、ポリエチレンテレフタレート（ＰＥＴ樹脂）、アクリロニトリルスチレン樹脂（ＡＳ樹脂）、アクリロニトリルブタジエンスチレン樹脂（ＡＢＳ樹脂）等の公知の包装用フィルムに使用される樹脂材料である。フィルムＦは、一種類の樹脂でもよく、複数種類の樹脂の共押出し、または複数種類のフィルムのラミネートとしても良い。
【００２６】
フィルム袋状物１０の形状、大きさは、台所の排水口、浴室の排水口等に設置できる限り適宜である。図１の例では、フィルムＦの３方が予めヒートシールされたヒートシール部２１である。ここに内容物が充填された後、開口部がヒートシールされ開口ヒートシール部２２として、フィルム袋状物１０の封止が完了する。他に、３方シールの製袋、ピロー製袋等の公知のフィルムの製袋技術が活用できる。
【００２７】
二酸化塩素発生樹脂包装体については、前述の説明及び図示のフィルム袋状物１０の形態に加えて樹脂容器（図示せず）の形態とすることもできる。樹脂容器は射出成型、ブロー成型等の公知の成型方法により形成される。樹脂容器の具体的な形状、大きさは設置場所に応じて適宜である。例えば、偏平な円盤状、棒状等である。発生した二酸化塩素ガスは樹脂容器を透過して樹脂容器の外部へ拡散する。
【００２８】
樹脂容器の材質は、前述のポリエチレン、ポリプロピレン、ポリスチレン、塩化ビニル樹脂、ポリアミド（いわゆるナイロン樹脂）、ポリエチレンテレフタレート（ＰＥＴ樹脂）、アクリロニトリルスチレン樹脂（ＡＳ樹脂）、アクリロニトリルブタジエンスチレン樹脂（ＡＢＳ樹脂）等の公知の樹脂成形品に使用される樹脂が用いられる。
【００２９】
二酸化塩素発生剤１１は、亜塩素酸ナトリウム（ＮａＣｌＯ２）を含有する組成である。二酸化塩素発生剤１１は、保管や搬送等の容易性から、固形状、顆粒状、粉末状の固形である。亜塩素酸ナトリウムは、次述の酸剤１２との反応によって二酸化塩素ガスを発生させる。
【００３０】
ガス発生剤中の亜塩素酸ナトリウムと酸成分との量関係は、相互のモル比により規定される。二酸化塩素ガスは、酸成分と亜塩素酸ナトリウムとの反応により発生する。従って、酸成分は必須である。酸剤１２として酸成分には各種の酸が用いられる。無機の酸としては塩酸、リン酸等が挙げられる。これらの無機の酸の利点は電離し易いため、反応性は良好である。酸成分が塩酸等の無機の酸である場合、予め所定量が水液物中に溶解され酸性液として調製される。
【００３１】
酸成分には前記の無機の酸に加えて有機酸も含められる。有機酸としては、クエン酸、シュウ酸、リンゴ酸、コハク酸、フマル酸等のカルボン酸化合物が挙げられる。列記の有機酸は無機の酸よりは電離度が少ない弱酸である。しかも、食品添加物等としても利用され、取り扱い上の安全性は高い。さらには、アミド硫酸も含められる。これらが酸剤１２である。酸剤１２として有機酸を選定した場合、その多くは常温下では固体である。そこで、水液物（水）に予め溶解して酸溶液に調製してもよく、あるいは水液物を水のみとして、別途ここに酸剤を添加する手法としても良い。なお、酸剤のｐＨを調整する目的で有機酸塩や塩基性を示す塩を適宜配合してもよい。また、亜塩素酸ナトリウム、酸剤および水分を接触しないように、隔壁により２ないし３区画に分けておき、使用時に隔壁を破壊して反応を開始させることができる。
【００３２】
二酸化塩素ガスの発生に際しては、水分の存在下で二酸化塩素発生剤１１と酸剤１２のみの存在で十分である。しかしながら、二酸化塩素発生樹脂包装体１は長期間にわたり徐々に二酸化塩素ガスを発生させ続ける必要がある。この徐放性の要求から、むしろ二酸化塩素発生剤１１と酸剤１２の反応を抑制することが望ましいといえる。そこで、二酸化塩素ガスの発生に直接関与しない成分である増量剤１３を敢えて添加することにより反応が緩和される。
【００３３】
増量剤１３には、芒硝（硫酸ナトリウム・１０水和物）、塩化ナトリウム、塩化カリウム等の各種の塩類である。他に、ケイ酸塩、リン酸塩等も含まれる。さらには、増量剤１３には、ベントナイト、タルク、ゼオライト等の鉱物も含まれる。通常、二酸化塩素発生剤１１である亜塩素酸ナトリウムは、劇物に指定されている。このため、取り扱い時の安全性が考慮される。そこで、全成分に占める亜塩素酸ナトリウムの重量割合を制限するためにも増量剤１３は配合される。
【００３４】
加えて、実施形態の二酸化塩素発生樹脂包装体１にあっては、ゲル化剤１４が混合される。ゲル化剤１４は、フィルム袋状物１０内の封入物の二酸化塩素発生剤１１、酸剤１２、及び増量剤１３を均一かつ粘調に保つ。従って、二酸化塩素発生樹脂包装体１の衝撃吸収の役割を担う。また、二酸化塩素発生剤１１と酸剤１２の反応により生じた二酸化塩素ガスはフィルム袋状物１０のフィルムＦを透過する前にゲル化剤１４を通過しなければならず、二酸化塩素ガスの放散の徐放化を担う。
【００３５】
ゲル化剤１４は、ポリビニルアルコール、寒天（アガロース）、キサンタンガム、グアーガム、ポリアクリルアミド等の高分子吸水材から選択される。なお、ゲル化剤１４がゲル状となるため、適量の水１５も添加される。そして、水１５により、二酸化塩素発生剤１１と酸剤１２のイオン化が促され、二酸化塩素が発生する。
【００３６】
前述の二酸化塩素発生樹脂包装体１（フィルム袋状物または樹脂容器）の使用に際し、二酸化塩素発生樹脂包装体１（フィルム袋状物または樹脂容器）は、上面が開放された窪状空間部に設置される。窪状空間部内における二酸化塩素発生樹脂包装体からの二酸化塩素ガスの放散速度は、２ｍｇ／ｈ以下であることが望ましい。二酸化塩素ガスの放散速度が２ｍｇ／ｈを超える場合、生活空間で二酸化塩素独特の塩素臭を感じる傾向が強くなり、生活空間の二酸化塩素濃度が０．１ｐｐｍ濃度を超えることとなり好ましくない。当該放散速度は、増量剤、ゲル化剤の配合、二酸化塩素発生樹脂包装体を構成する樹脂のフィルムまたは成形体の肉厚、樹脂の材質等により調整される。放散速度が多すぎると、過剰な反応であり、所望の二酸化塩素濃度の持続性に劣ると考えられる。また、極端に少ない場合、二酸化塩素自体の放散が乏しく、除菌、消臭の効果を発揮し得ない。
【実施例】
【００３７】
［二酸化塩素発生樹脂包装体の作製］
８０重量％亜塩素酸ナトリウム結晶（日本カーリット株式会社製，シルブライト８０）１．６６ｇ、ポリアクリル酸ナトリウム高吸水性ポリマー粒子の高分子高吸水性樹脂（三洋化成工業株式会社製，サンフレッシュＳＴ−５００Ｄ）２．５２ｇ、無水芒硝（東ソー株式会社製，中性無水芒硝）１．３３ｇを用意した。無水芒硝は増量剤であり、高分子高吸水性樹脂はゲル化剤である。次に、ＯＰＰ＃３０／ドライラミネート／ＣＰＰ＃４０のラミネートフィルム（ポリプロピレンのラミネートフィルム）を裁断して３方をヒートシールして薬剤の収容部分が７５ｍｍ×７５ｍｍとなるフィルム袋とした。当該フィルムの袋に前出の薬剤と、無水クエン酸０．１１５ｇと脱イオン水１２ｍＬを入れた後、直ちに開口部をヒートシールして密封した。こうして、各試験に使用する都度、二酸化塩素発生樹脂包装体を作製した。
【００３８】
［設置場所の再現］
作製した二酸化塩素発生樹脂包装体について、２Ｌサイズの清涼飲料水用の容器（いわゆるペットボトル）を胴部分において横にカットし、容器の底側に水を１Ｌ注いだ。そして、二酸化塩素発生樹脂包装体を縦向きとして、カットされた容器の水の液面から二酸化塩素発生樹脂包装体の中心までを１００ｍｍとし両面テープにより固定した（模擬再現Ｉ）。また、カットされた容器の開口部分に２本の棒を渡し、水の液面から横向きの二酸化塩素発生樹脂包装体の中心までを５０ｍｍとし２本の棒の上に横向きの二酸化塩素発生樹脂包装体を載置した（模擬再現ＩＩ）。
【００３９】
加えて、液面から縦向きの二酸化塩素発生樹脂包装体の中心までを１００ｍｍとし両面テープにより固定した（模擬再現ＩＩＩ）。さらに、模擬再現ＩＩと同様の載置の仕方として横向きの二酸化塩素発生樹脂包装体の中心までを５０ｍｍとした（模擬再現ＩＶ）。模擬再現Ｉと模擬再現ＩＩＩは台所の排水口及び浴室の排水口の開口部直上の周囲の壁面への設置を想定する。模擬再現ＩＩと模擬再現ＩＶは台所の排水口及び浴室の排水口の開口部の直上中心位置への設置を想定する。
【００４０】
［二酸化塩素発生体の放散速度の計測］
前出の二酸化塩素発生樹脂包装体を内容積１Ｌないし４５Ｌの合成樹脂製密閉容器の中に収容して同容器を密閉した。雰囲気の急激な温度変化がない状態でおおよそ３時間前後静置した。この間に、最低２回以上、密閉容器内の気体を採取しガス検知管（株式会社ガステック製，２３Ｍ）により二酸化塩素ガスの濃度を測定した。
【００４１】
このとき、横軸に時間、縦軸に二酸化塩素ガス濃度をプロットすると右上がりの直線となった。一次式で近似した直線の傾きを使用し、理想気体の状態方程式から１時間当たりに放散された二酸化塩素分子のｍｇ数を算出した（放散速度）。理想気体の状態方程式に代入する温度は静置時間の雰囲気空気の温度の中央値を使用した。
【００４２】
当該二酸化塩素発生濃度の計測の方法により、模擬再現ＩないしＩＶにおける二酸化塩素ガスの時間当たりの発生量（放散速度）は以下のとおりである。
【００４３】
模擬再現Ｉ    ：  ０．０２ｍｇ／ｈ
模擬再現ＩＩ  ：  ０．０４ｍｇ／ｈ
模擬再現ＩＩＩ：  ０．５ｍｇ／ｈ
模擬再現ＩＶ  ：  ０．５ｍｇ／ｈ
【００４４】
二酸化塩素発生包装体を設置して模擬試験、検証試験に使用した際のガス濃度の計測は、測定範囲が０．０１から５．００ｐｐｍである二酸化塩素ガス検知器（ＡＴＩ社製  Ｃ１６  Ｐｏｒｔａ  Ｓｅｎｓ  ＩＩ型）を使用した。
模擬再現ＩないしＩＶの状態を維持し、二酸化塩素発生樹脂包装体を設置して１晩（８時間）後の各液面の直上の二酸化塩素濃度は、０．０２５ないし０．２５ｐｐｍであった（平均値として小数点以下３桁まで表示）。また、各液面の直上の空気を入れ替えてから（エアパージ）、１０分経過後に測定すると、０．０２５ないし０．０７５ｐｐｍであった。この様子は図２のグラフである。濃度の結果から、短時間で微生物に対して有効となる濃度に達した。また、濃度は著しく上昇することなく８時間後においても有効な濃度に保たれた。さらに、これらの再現実験では、二酸化塩素ガスの発生体の中心から２０ｃｍ近傍でのガス濃度はほぼ皆無（０．０１ｐｐｍ未満）であり、窪状空間部のみに有効な濃度が維持された。従って、二酸化塩素ガスの効果は維持され、安全性と快適性の両立は図られている。
【００４５】
［検証Ａ］
使用開始から６０日を経過し二酸化塩素の放散速度が０．０４ｍｇ／ｈとなった二酸化塩素発生樹脂包装体を使用し、前述の模擬再現ＩＩとＩＶと同様の状態で載置し、約１箇月間、容器の水面直上（検証Ａ１）と開口部中心から半径２０ｃｍの範囲（検証Ａ２）の二酸化塩素濃度を測定した。
【００４６】
検証Ａ１の水面直上では、二酸化塩素濃度は０．０３ないし０．２ｐｐｍ、概ね０．１ｐｐｍ前後で推移した。これに対し、検証Ａ２の開口部中心から半径２０ｃｍの周囲では概ね検出限界（０．０１ｐｐｍ）未満であった。この様子は、図３の日数と二酸化塩素濃度のグラフである。結果、二酸化塩素は比較的小さい（弱い）放散速度であっても、排水口のような小空間内においては、微生物の生育を抑制するために有効な濃度を維持しているといえる。
【００４７】
［検証Ｂ］
二酸化塩素の放散速度が０．９ｍｇ／ｈの二酸化塩素発生樹脂包装体を一般家庭の台所の廃水升（具体的には、金属製の網かごの下側で椀トラップの上）に載置した（検証Ｂ１）。同様の放散速度の二酸化塩素発生樹脂包装体を浴室の排水口にあるヘアキャッチャー周囲の垂直に立ち上がる壁面に貼り付けた（検証Ｂ２）。台所の排水桝では、金属製の網かごの中央付近の空気を採取した。浴室の排水口ヘアキャッチャーでは、ヘアキャッチャーの窪みの空間内の空気を採取した。
【００４８】
この結果は、図４のグラフである。測定は不定期に１０日から４０日間かけて行った。検証Ｂ１及びＢ２においても、二酸化塩素濃度は概ね０．０５ｐｐｍの前後であった。従って、カビ等の微生物の生育を抑制するに有効な濃度は維持されていた。従って、二酸化塩素発生樹脂包装体からの二酸化塩素ガスの放散速度は２ｍｇ／ｈ以下とすることにより、微生物の成育抑制に十分な効果を発揮し得る。
【００４９】
［まとめ］
二酸化塩素発生樹脂包装体の作製とその後の一連の検証から、台所及び浴室の排水口への設置が有効である。台所及び浴室の排水口は、常時水、温水と接し、しかも有機物過多であるため、カビ、細菌が増殖しやすい環境下である。このような場所において、局所的に二酸化塩素を徐放的に拡散しているため、長期間にわたり殺菌に有効な二酸化塩素の濃度を維持し続けることができる。従って、カビ、細菌はほぼ常に二酸化塩素発生樹脂包装体から放散される二酸化塩素に曝露され、殺菌、消臭の効果が及ぶ。
【産業上の利用可能性】
【００５０】
本発明の二酸化塩素発生樹脂包装体は、窪状空間部に二酸化塩素を温和な条件により徐放することにより、ヒトの存在する空間（生活空間）であっても二酸化塩素ガスの不快な臭いを感じさせず、室内濃度を概ね０．１ｐｐｍ以下に抑制することができ、長期間にわたり窪状空間部の内部環境の二酸化塩素濃度を維持し続けることができる。そのため、特に水分過剰環境下の窪状空間部における使用において有効である。
【符号の説明】
【００５１】
１  二酸化塩素発生樹脂包装体
１０  フィルム袋状物
１１  二酸化塩素発生剤
１２  酸剤
１３  増量剤
１４  ゲル化剤
１５  水
２１  ヒートシール部
２２  開口ヒートシール部
Ｆ  フィルム
【図１】
2020193136.tif 000003
【図２】
2020193136.tif 000004
【図３】
2020193136.tif 000005
【図４】
2020193136.tif 000006